(57)【要約】      （修正有）【課題】異なる長さの検出カセットが検出されて、使用上の利便性が向上されることができる検出デバイス、検出カセット、および検出システムを提供する。【解決手段】第１の検出カセット１１０または第２の検出カセット１２０を検出するのに適した検出装置１３０であって、検出装置は、ケース１４０、ケース内に配置され、収容溝１５１を有し、収容溝は、第１の検出カセットまたは第２の検出カセットを収容するのに適し、収容溝の底部１５２は、第１のベゼルを有し、第２の検出カセットの長さは第１の検出カセットの長さより長く、第２の検出カセットは第１の溝を有し、第１の溝の位置が、第１のベゼルの位置に対応する収容モジュール１５０、ケース内に配置され、その位置が、収容溝の位置に対応する撮影モジュール１６０、およびケース内に配置され、撮影モジュールに結合され、撮影モジュールの動作を制御する制御モジュール１８０、を含む。【選択図】図１
0003228109.tif 000002
【実用新案登録請求の範囲】
【請求項１】
第１の検出カセットまたは第２の検出カセットを検出するのに適した検出装置であって、
前記検出装置は、
ケース、
前記ケース内に配置され、収容溝を有し、前記収容溝は、前記第１の検出カセットまたは前記第２の検出カセットを収容するのに適し、前記収容溝の底部は、第１のベゼルを有し、前記第２の検出カセットの長さは前記第１の検出カセットの長さより長く、前記第２の検出カセットは第１の溝を有し、前記第１の溝の位置は、前記第１のベゼルの位置に対応する収容モジュール、
前記ケース内に配置され、その位置が前記収容溝の位置に対応する撮影モジュール、および
前記ケース内に配置され、前記撮影モジュールに結合され、前記撮影モジュールの動作を制御する制御モジュールを含む検出装置。
【請求項２】
前記収容モジュールの前記収容溝の第1の側部に配置された第1の検知モジュール、第２の検知モジュール、および第３の検知モジュールをさらに含み、第３の検知モジュールは、第１の検知モジュールと第２の検知モジュールの間に配置され、前記第３の検知モジュールは、前記第１の検知モジュールに比較的近く、前記第２の検知モジュールから比較的遠く、前記第1の検知モジュール、前記第２の検知モジュール、および前記第３の検知モジュールは、前記制御モジュールに結合される請求項１に記載の検出装置。
【請求項３】
第１の検出カセット、
前記第１の検出カセットの長さより長く、第１の溝を有する第２の検出カセット、および
ケースと、
前記ケース内に配置され、収容溝を有し、前記収容溝は、前記第１の検出カセットまたは前記第２の検出カセットを収容するのに適し、前記収容溝の底部は、第１のベゼルを有し、前記第２の検出カセットの前記第１の溝の位置は、前記第１のベゼルの位置に対応する収容モジュールと、
前記ケース内に配置され、撮影モジュールの位置は、前記収容溝の位置に対応する撮影モジュールと、
前記ケース内に配置され、前記撮影モジュールに結合され、前記撮影モジュールの動作を制御する制御モジュールと、を含む検出装置を含む検出システム。
【請求項４】
前記第１のベゼルは前記第１の溝と位置合わせされ、前記第２の検出カセットが前記収容溝にスライド可能に挿入されたとき、前記第１のベゼルは、前記第１の溝にスライド可能に挿入され、第２の検出カセットの長さは、前記第１の検出カセットの長さに前記第１のベゼルの長さを加えたものと等しい請求項３に記載の検出システム。
【請求項５】
検出カセットを検出するのに適しており、
ケース、
前記ケース内に配置され、収容溝を有し、前記収容溝は、前記検出カセットを収容するのに適し、前記収容溝の底部は、第１のベゼルを有し、前記検出カセットは、第１の溝を有し、前記第１の溝の位置は、前記第１のベゼルの位置に対応する収容モジュール、
前記ケース内に配置され、その位置が前記収容溝の位置に対応する撮影モジュール、および
制御モジュールは前記ケース内に配置され、前記撮影モジュールに結合され、前記制御モジュールは前記撮影モジュールの動作を制御する検出装置。
【考案の詳細な説明】
【技術分野】
【０００１】
本出願は、２０２０年３月５日に出願された台湾特許出願番号第１０９２０２４２４号についての優先権を主張するものであり、これらの全ては引用によって本願に援用される。
【０００２】
本考案は、検出装置、検出カセット、および検出システムに関するものである。
【背景技術】
【０００３】
現在、市場に出ているほとんどのインフルエンザ検出機は、単一のカセット（単一のタイプのインフルエンザ）しか検出することができない。しかしながら、バイオ検出カセットは、異なるインフルエンザウイルスのために異なる長さの複数のテストストリップを有するので、異なる長さ（マルチインフルエンザ）のカセットが検出される必要がある場合、複数の異なるインフルエンザ検出機が必要である。従って、これはそれらの使用コストと使用上の不便さの両方とも増加させる。従って、インフルエンザ検出機の設計は、依然として改善される必要がある。
【先行技術文献】
【特許文献】
【０００４】
【特許文献１】国際公開第２００７／１１１２７４号
【考案の概要】
【考案が解決しようとする課題】
【０００５】
異なる長さの検出カセットが検出されて、使用上の利便性が向上されることができる検出デバイス、検出カセット、および検出システムを提供する。
【課題を解決するための手段】
【０００６】
本開示の実施形態は、検出デバイス、検出カセット、および検出システムを提供し、それにより、異なる長さの検出カセットが検出され、使用上の利便性が向上されることができる。
【０００７】
本開示の実施形態は、第１の検出カセットまたは第２の検出カセットを検出するのに適した検出装置を提供する。検出装置は、ケース、収容モジュール、撮影モジュール、および制御モジュールを含む。収容モジュールは、ケース内に配置される。収容モジュールは、収容溝を有する。収容溝は、第１の検出カセットまたは第２の検出カセットを収容するのに適している。収容溝の底部は、第１のベゼルを有する。第２の検出カセットの長さは第１の検出カセットの長さより長く、第２の検出カセットは第１の溝を有する。第１の溝の位置は、第１のベゼルの位置に対応する。撮影モジュールは、ケース内に配置され、撮影モジュールの位置は、収容溝の位置に対応する。制御モジュールはケース内に配置され、制御モジュールは撮影モジュールに結合され、制御モジュールは撮影モジュールの動作を制御する。
【０００８】
また、本開示の実施形態は、第１の検出カセット、第２の検出カセット、および検出装置を含む検出システムを提供する。第２の検出カセットの長さは第１の検出カセットの長さより長く、第２の検出カセットは第１の溝を有する。検出装置は、ケース、収容モジュール、撮影モジュール、および制御モジュールを含む。収容モジュールは、ケース内に配置される。収容モジュールは、収容溝を有する。収容溝は、第１の検出カセットまたは第２の検出カセットを収容するのに適している。収容溝の底部は、第１のベゼルを有する。第２の検出カセットの第１の溝の位置は、第１のベゼルの位置に対応する。撮影モジュールは、ケース内に配置され、撮影モジュールの位置は、収容溝の位置に対応する。制御モジュールはケース内に配置され、制御モジュールは撮影モジュールに結合され、制御モジュールは撮影モジュールの動作を制御する。
【０００９】
また、本開示の実施形態は、本体を含む検出カセットを提供する。
本体は第１の溝を有し、第１の溝の位置は、検出装置の収容モジュールの収容溝の底部に配置された第１のベゼルに対応する。
【００１０】
また、本開示の実施形態は、検出カセットを検出するのに適した検出装置を提供する。検出装置は、ケース、収容モジュール、撮影モジュール、および制御モジュールを含む。収容モジュールはケース内に配置される。収容モジュールは、収容溝を有する。収容溝は、検出カセットを収容するのに適している。収容溝の底部は、第１のベゼルを有する。検出カセットは、第１の溝を有する。第１の溝の位置は、第１のベゼルの位置に対応する。撮影モジュールは、ケース内に配置され、撮影モジュールの位置は、収容溝の位置に対応する。制御モジュールはケース内に配置され、制御モジュールは撮影モジュールに結合され、制御モジュールは撮影モジュールの動作を制御する。
【００１１】
本開示の実施形態の検出装置、検出カセット、および検出システムによれば、収容モジュールはケース内に配置され、収容モジュールは、収容溝を有し、収容溝は、第１の検出カセットまたは第２の検出カセットを収容するのに適し、収容溝の底部は、第１のベゼルを有する。第２の検出カセットの長さは第１の検出カセットの長さより長く、第２の検出カセットは第１の溝を有し、第１の溝の位置は、第１のベゼルの位置に対応する。制御モジュールは、撮影モジュールの動作を制御して、第１の検出カセットまたは第２の検出カセットの検出結果を取得する。従って、本開示の実施形態は、異なる長さの検出カセットを検出することができ、それにより、使用の利便性を向上させる。撮影モジュールは、ケース内に配置され、撮影モジュールの位置は、収容溝の位置に対応する。制御モジュールはケース内に配置され、制御モジュールは撮影モジュールに結合され、制御モジュールは撮影モジュールの動作を制御する。
【図面の簡単な説明】
【００１２】
本考案は、添付の図面を参照しながら以下の詳細な説明及び例を読むことで、より完全に理解することができる。
【図１】本開示の実施形態による検出システムの概略図である。
【図２】本開示の実施形態による第１の検出カセットの立体図である。
【図３Ａ】本開示の実施形態による第２の検出カセットの立体図である。
【図３Ｂ】本開示の実施形態による第２の検出カセットのもう一つの立体図である。
【図４】図４は、本開示の実施形態による収容モジュールの立体図である。
【図５】図５は、本開示の一実施形態による、収容モジュールの収容溝に取り付けられた第１の検出カセットの概略図である。
【図６】図６は、本開示の一実施形態による、収容モジュールの収容溝に取り付けられた第２の検出カセットの概略図である。
【図７Ａ】図７Ａは、本開示の実施形態による、第１の検知モジュール、第２の検知モジュール、および第３の検知モジュールの配置関係の概略図である。
【図７Ｂ】図７Ｂは、本開示の実施形態による、第１の検知モジュール、第２の検知モジュール、および第３の検知モジュールの配置関係の概略図である。
【考案を実施するための形態】
【００１３】
以下の各実施形態では、同じ参照番号は、同じまたは同様の要素または構成要素を表している。
【００１４】
図１は、本開示の実施形態による検出システムの概略図を示している。図１に示すように、検出システム１００は、第１の検出カセット１１０、第２の検出カセット１２０、および検出装置１３０を含む。
【００１５】
第１の検出カセット１１０は、テストストリップが提供されており、第１の検出カセット１１０はサンプルを添加するために用いられる。本実施形態では、図２に示されるように、第１の検出カセット１１０は、サンプル添加開口部２０２および検出窓２０４を有する。サンプル添加開口部２０２は、サンプルを添加するために用いられる。テストサンプルが添加された後、サンプルは、第１の検出カセット１１０の検出窓２０４に横方向に流れ、第１の検出カセット１１０のテストストリップと反応して、検出のための色の変化を現すことができる。さらに、サンプルは、例えば、血液、尿、またはその他の液体サンプルを含む。
【００１６】
第２の検出カセット１２０はテストストリップが提供されており、第２の検出カセット１２０はサンプルを添加するように用いられる。また、第２の検出カセット１２０の長さは、例えば、第１の検出カセット１１０の長さより長い。本実施形態では、第２の検出カセット１２０は、図３Ａに示されるように、サンプル添加開口部３０２、検出窓３０４、および検出窓３０６を有する。サンプル添加開口部３０２は、サンプルを添加するために用いられる。テストサンプルが添加された後、サンプルは、第２の検出カセット１２０の検出窓３０４および検出窓３０６に横方向に流れ、第２の検出カセット１２０のテストストリップと反応して、検出のための色の変化を現すことができる。さらに、サンプルは、例えば、血液、尿、またはその他の液体サンプルを含む。
【００１７】
また、図３Ａおよび図３Ｂに示されるように、第２の検出カセット１２０は本体を有し、本体は、第１の側部３０８および第１の側部３０８の反対側の第２の側部３１０を有する。第２の検出カセット１２０の第１の側部３０８は、第１の溝３１２および第２の溝３１４が提供される。第１の溝３１２および第２の溝３１４は、第２の検出カセット１２０の第１の側部３０８から第２の検出カセット１２０の第２の側部３１０まで延伸し、第１の溝３１２および第２の溝３１４は、平行に配置され、所定の距離離間されている。例えば、上述の所定の距離は、テストストリップの幅以上となるように設定される。
【００１８】
第２の検出カセット１２０の第２の側部３１０は、第１の溝３１６および第２の溝３１８が提供される。第１の溝３１６および第２の溝３１８は、第２の検出カセット１２０の第２の側部３１０から第２の検出カセット１２０の第１の側部３０８まで延伸し、第１の溝３１６および第２の溝３１８は、平行に配置され、所定の距離離間されている。例えば、上述の所定の距離は、テストストリップの幅以上となるように設定される。
【００１９】
本実施形態では、第２の検出カセット１２０は、第１の溝３１２、第２の溝３１４、第１の溝３１６、および第２の溝３１８を有するが、本開示の実施形態はこれに限定されない。いくつかの実施形態では、第２の検出カセット１２０の第１の側部３０８は、第１の溝３１２が提供されることができる。
【００２０】
いくつかの実施形態では、第２の検出カセット１２０の第２の側部３１０は、第１の溝３１６が提供されることができる。いくつかの実施形態では、第２の検出カセット１２０の第１の側部３０８は、第１の溝３１２および第２の溝３１４が提供されることができ（即ち、第１の溝３１２および第２の溝３１４が第２の検出カセット１２０の同じ側に配置される）、または第２の検出カセット１２０の第２の側部３１０は、第１の溝３１６および第２の溝３１８が提供されることができる（即ち、第１の溝３１６および第２の溝３１８が第２の検出カセット１２０の同じ側に配置される）。いくつかの実施形態では、第２の検出カセット１２０の第１の側部３０８は、第１の溝３１２が提供されることができ、第２の検出カセット１２０の第２の側部３１０は、第１の溝３１６が提供されることができ、または第２の検出カセット１２０の第１の側部３０８は、第２の溝３１４が提供されることができ、第２の検出カセット１２０の第２の側部３１０は、第２の溝３１８が提供されることができる。
【００２１】
さらに、第２の検出カセット１２０の第１の側部３０８および第２の側部３１０の両方に少なくとも１つの溝が提供されたとき、第２の検出カセット１２０は、挿入方向に制限がないため、使用上の利便性を向上させる。
【００２２】
検出装置１３０は、ケース１４０、収容モジュール１５０、撮影モジュール１６０、信号生成モジュール１７０、および制御モジュール１８０を含む。収容モジュール１５０は、ケース１４０内に配置される。収容モジュール１５０は、図４に示されるように、収容溝１５１を有する。
【００２３】
収容溝１５１は、第１の検出カセット１１０および第２の検出カセット１２０を収容するのに適している。収容溝１５１の底部１５２は、第１のベゼル５０２および第２のベゼル５０４を有する。第１のベゼル５０２および第２のベゼル５０４の長さは同じである。第１のベゼル５０２および第２のベゼル５０４は、収容溝１５１の底部１５２から収容溝１５１の開口まで延伸し、第１のベゼル５０２および第２のベゼル５０４は、平行に配置され、所定の距離離間されている。また、第１のベゼル５０２および第２のベゼル５０４の位置は、第２の検出カセット１２０の第１の溝３１２および第２の溝３１４の位置および第２の検出カセット１２０の第１の溝３１６および第２の溝３１８の位置に対応することができる。
【００２４】
本実施形態では、収容溝１５１の底部１５２は、第１のベゼル５０２および第２のベゼル５０４を有するが、本開示の実施形態は、これに限定されない。いくつかの実施形態では、収容溝１５１の底部１５２は、第１のベゼル５０２を有することができ、第１のベゼル５０２の位置は、第２の検出カセット１２０の第１の溝３１２の位置に対応することができ、または第１のベゼル５０２の位置は、第２の検出カセット１２０の第１の溝３１６の位置に対応することができ、または第１のベゼル５０２の位置は、第２の検出カセット１２０の第１の溝３１２および第１の溝３１６の両方の位置に対応することができる。
【００２５】
いくつかの実施形態では、収容溝１５１の底部１５２は、第２のベゼル５０４を有することができ、第２のベゼル５０４の位置は、第２の検出カセット１２０の第２の溝３１４の位置に対応することができ、または第２のベゼル５０４の位置は、第２の検出カセット１２０の第２の溝３１８の位置に対応することができ、または第２のベゼル５０４の位置は、第２の検出カセット１２０の第２の溝３１４および第２の溝３１８の両方の位置に対応することができる。
【００２６】
いくつかの実施形態では、第１のベゼル５０２および第２のベゼル５０４は、例えば、細長い形状に形成され、第１の溝３１２、第１の溝３１６、第２の溝３１４、および第２の溝３１８も、例えば、細長い形状に形成される。いくつかの実施形態では、第１のベゼル５０２は、第１の溝３１２と位置合わせされてもよく（例えば、第１のベゼル５０２と第１の溝３１２は直線状に接続される）、または第１のベゼル５０２は、第１の溝３１６と位置合わせされてもよい（例えば、第１のベゼル５０２と第１の溝３１６は、直線状に接続される）。いくつかの実施形態では、第２のベゼル５０４は、第２の溝３１４と位置合わせされてもよく（例えば、第２のベゼル５０４と第２の溝３１４は直線状に接続される）、または第２のベゼル５０４は、第２の溝３１８と位置合わせされてもよい（例えば、第２のベゼル５０４と第２の溝３１８は、直線状に接続される）。
【００２７】
いくつかの実施形態では、第２の検出カセット１２０が収容溝１５１にスライド可能に挿入されたとき、第１のベゼル５０２は、例えば、第１の溝３１２または第１の溝３１６にスライド可能に挿入されることができる。いくつかの実施形態では、第２の検出カセット１２０が収容溝１５１にスライド可能に挿入されたとき、第２のベゼル５０４は、例えば、第２の溝３１４または第２の溝３１８に挿入されることができる。いくつかの実施形態では、第２の検出カセット１２０の長さは、例えば、第１の検出カセット１１０の長さに第１のベゼル５０２の長さを加えたものと等しい。
【００２８】
撮影モジュール１６０は、ケース１４０内に配置されており、撮影モジュール１６０の位置は、収容溝１５１の位置に対応する。撮影モジュール１６０は、収容モジュール１５０の収容溝１５１に対向し、収容溝１５１に挿入された第１の検出カセット１１０または第２の検出カセット１２０を撮影する。
【００２９】
本実施形態では、撮影モジュール１６０は、カメラ１６１およびカメラ１６２を含む。カメラ１６１は、収容溝１５１の開口部に隣接して配置され、カメラ１６２は、収容溝１５１の底部１５２に隣接して配置される。また、カメラ１６１およびカメラ１６２は、例えば、電荷結合素子（ＣＣＤ）であるが、本開示の実施形態は、これに限定されない。
【００３０】
信号生成モジュール１７０は、ケース１４０に配置され、第１の制御信号を生成する。本実施形態では、信号生成モジュール１７０は、例えば、物理的なボタンまたはタッチボタンである。即ち、使用者は、信号生成モジュール１７０を押すかまたはタッチすることができ、それにより、信号生成モジュール１７０が第１の制御信号を生成する。
【００３１】
制御モジュール１８０は、ケース１４０内に配置される。制御モジュール１８０は、信号生成モジュール１７０および撮影モジュール１６０に結合される。制御モジュール１８０は、第１の制御信号を受信して、撮影モジュール１６０の動作を制御する。即ち、制御モジュール１８０が第１の制御信号を受信したとき、制御モジュール１８０は、撮影モジュール１６０を起動するように制御することができ、それにより、撮影モジュール１６０が撮影動作を実行する。
【００３２】
図５に示されるように、全体の動作において、使用者は、第１の検出カセット１１０を収容溝１５１に挿入することができ、それにより、第１の検出カセット１１０が第１のベゼル５０２および第２のベゼル５０４に当接される。次いで、使用者は、信号生成モジュール１７０を押すことができ、それにより、信号生成モジュール１７０が第１の制御信号を生成し、それを制御モジュール１８０に送信する。
【００３３】
従って、制御モジュール１８０は、撮影モジュール１６０を制御して、第１の検出カセット１１０、例えば、第１の検出カセット１１０の検出窓２０４を撮影することができる。撮影モジュール１６０は、撮影結果を制御モジュール１８０に送信することができ、制御モジュール１８０は、撮影結果を表示モジュール（図示せず）に表示して、第１の検出カセット１１０の検出結果を知ることができる。
【００３４】
また、図６に示されるように、使用者は、第２の検出カセット１２０を収容溝１５１に挿入し、それにより、第２の検出カセット１２０が第１のベゼル５０２および第２のベゼル５０４を通過して、収容溝１５１の底部１５２に当接することができる。次いで、使用者は、信号生成モジュール１７０を押すことができ、それにより、信号生成モジュール１７０が第１の制御信号を生成し、それを制御モジュール１８０に送信することができる。
【００３５】
従って、制御モジュール１８０は、撮影モジュール１６０を制御して、第２の検出カセット１２０、例えば、第２の検出カセット１２０の検出窓３０４および検出窓３０６を撮影することができる。撮影モジュール１６０は、撮影結果を制御モジュール１８０に送信することができ、制御モジュール１８０は、撮影結果を表示モジュール（図示せず）に表示して、第２の検出カセット１２０の検出結果を知ることができる。従って、検出装置１３０は、異なる長さの第１の検出カセット１１０と第２の検出カセット１２０を検出することができ、使用上の利便性を向上させる。
【００３６】
図７Ａおよび図７Ｂは、本開示の実施形態による、第１の検知モジュール、第２の検知モジュール、および第３の検知モジュールの配置関係の概略図である。図７Ａおよび図７Ｂに示されるように、検出装置１３０は、第１の検知モジュール７１０をさらに含むことができる。第１の検知モジュール７１０は、収容モジュール１５０の収容溝１５１の第１の側部５０６に配置される。第１の検知モジュール７１０は、第１のベゼル５０２に隣接して配置され、収容溝１５１の底部１５２から離れている。第１の検知モジュール７１０は、制御モジュール１８０に結合されて、第２の制御信号を生成し、それを制御モジュール１８０に送信し、その中の収容溝１５１の第１の側部５０６は第１のベゼル５０２に隣接しており、収容溝１５１の第１の側部５０６は第１のベゼル５０２に平行している。
【００３７】
本実施形態では、第１の検知モジュール７１０は、例えば、接触式スイッチまたは赤外線センサーであるが、本考案の実施形態は、これに限定されない。また、第１の検知モジュール７１０は、第１の検出カセット１１０または第２の検出カセット１２０が収容溝１５１に挿入されたか否かを検知して、第２の制御信号を生成するように用いられる。例えば、第１の検出カセット１１０または第２の検出カセット１２０が収容溝１５１に挿入されていないとき、第１の検知モジュール７１０は、第２の制御信号を生成しない。
【００３８】
第１の検出カセット１１０が収容溝１５１に挿入されて第１のベゼル５０２および第２のベゼル５０４に当接した後、または第２の検出カセット１２０が収容溝１５１に挿入されて第１の検知モジュール７１０を通過した後 、第１の検知モジュール７１０は、第１の検出カセット１１０または第２の検出カセット１２０を検知して、第２の制御信号を生成し、それを制御モジュール１８０に送信することができる。
【００３９】
次いで、制御モジュール１８０は、第２の制御信号に従って、撮影モジュール１６０を制御し、第１の検出カセット１１０または第２の検出カセット１２０を撮影する。その後、撮影モジュール１６０は、撮影結果を制御モジュール１８０に送信することができ、制御モジュール１８０は、撮影結果を表示モジュール（図示せず）に表示して、第１の検出カセット１１０または第２の検出カセット１２０の検出結果を知ることができる。
【００４０】
また、検出装置１３０は、第２の検知モジュール７２０をさらに含むことができ、即ち、検出装置１３０は、第２の検知モジュール７２０および第１の検知モジュール７１０を含む。第２の検知モジュール７２０は、収容モジュール１５０の収容溝１５１の第１の側部５０６に配置され、収容溝１５１の底部１５２に隣接して配置される。第２の検知モジュール７２０は、制御モジュール１８０に結合され、第３の制御信号を生成し、それを制御モジュール１８０に送信する。
【００４１】
本実施形態では、第２の検知モジュール７２０も、例えば、接触式スイッチまたは赤外線センサーであるが、本考案の実施形態は、これに限定されない。また、第２の検知モジュール７２０は、第２の検出カセット１２０が収容溝１５１に完全に挿入されたか否かを検知して、第３の制御信号を生成するように用いられる。例えば、第２の検出カセット１２０が収容溝１５１に挿入されていないとき、第２の検知モジュール７２０は、第３の制御信号を生成しない。
【００４２】
第２の検出カセット１２０が収容溝１５１に完全に挿入されて収容溝１５１の底部１５２に当接した後、第２の検知モジュール７２０は、第２の検出カセット１２０を検知して、第３の制御信号を生成し、それを制御モジュール１８０に送信することができる。次いで、制御モジュール１８０は、第２の制御信号および第３の制御信号に従って、撮影モジュール１６０を制御し、第２の検出カセット１２０を撮影する。その後、撮影モジュール１６０は、撮影結果を制御モジュール１８０に送信することができ、制御モジュール１８０は、撮影結果を表示モジュール（図示せず）に表示して、第２の検出カセット１２０の検出結果を知ることができる。
【００４３】
即ち、制御モジュール１８０が第２の制御信号を受信したとき、制御モジュール１８０は、第３の制御信号が所定の時間内に受信されたかどうかを決定することができる。制御モジュール１８０が第３の制御信号を受信していないと判定したとき、これは、第１の検出カセット１１０が収容溝１５１に挿入されていることを示している。制御モジュール１８０が第３の制御信号を受信していないと判定したとき、これは、第２の検出カセット１２０が収容溝１５１に挿入されていることを示している。従って、第２の検出カセット１２０が第１の検知モジュール７１０を通過して、制御モジュール１８０が直ちに第２の制御信号に従って撮影モジュール１６０を制御し、第２の検出カセット１２０を撮影する状況を回避することができる。
【００４４】
さらに、検出装置１３０は、第３の検知モジュール７３０をさらに含むことができ、即ち、検出装置１３０は、第３の検知モジュール７３０、第２の検知モジュール７２０、および第１の検知モジュール７１０を含む。第３の検知モジュール７３０は、収容モジュール１５０の収容溝１５１の側部５０６に配置される。第３の検知モジュール７３０は、第１の検知モジュール７１０と第２の検知モジュール７２０との間に位置し、第３の検知モジュール７３０は、第１の検知モジュール７１０に比較的近く、第２の検知モジュール７２０から比較的遠い。第３の検知モジュール７３０は、制御モジュール１８０に結合される。第３の検知モジュール７３０および第１の検知モジュール７１０は、所定の距離Ｄ離間されている。本実施形態では、上述の所定の距離Ｄは、例えば５ｍｍであるが、本開示の実施形態はこれに限定されない。第３の検知モジュール７３０は、制御モジュール１８０に結合され、第４の制御信号を生成し、それを制御モジュール１８０に送信する。
【００４５】
本実施形態では、第３の検知モジュール７３０も、例えば、接触式スイッチまたは赤外線センサーであるが、本開示の実施形態は、これに限定されない。また、第３の検知モジュール７３０は、第２の検出カセット１２０が収容溝１５１に挿入されたか否かを検知して、第４の制御信号を生成するように用いられる。例えば、第２の検出カセット１２０が収容溝１５１に挿入されていないとき、第３の検知モジュール７３０は、第４の制御信号を生成しない。
【００４６】
第２の検出カセット１２０が収容溝１５１に挿入され、第１の検知モジュール７１０を通過したとき、第１の検知モジュール７１０は、第２の制御信号を生成し、それを制御モジュール１８０に送信する。次いで、第２の検出カセット１２０が第３の検知モジュール７３０を通過したとき、第３の検知モジュール７３０は、第４の制御信号を生成し、それを制御モジュール１８０に送ることができ、これは、第２の検出カセット１２０が収容溝１５１の底部１５２に当接していないことを示している。このとき、制御モジュール１８０は、第４の制御信号に従って第２の制御信号を無視し、撮影モジュール１６０を制御せずに、第２の検出カセット１２０を撮影することができる。
【００４７】
その後、第２の検出カセット１２０が第２の検知モジュール７２０を通過し、収容溝１５１の底部１５２に当接したとき、第２の検知モジュール７２０は第３の制御信号を生成することができる。このとき、制御モジュール１８０は、第３の制御信号に従って撮影モジュール１６０を制御し、第２の検出カセット１２０を撮影することができる。その後、撮影モジュール１６０は、撮影結果を制御モジュール１８０に送信することができ、制御モジュール１８０は、撮影結果を表示モジュール（図示せず）に表示して、第２の検出カセット１２０の検出結果を知ることができる。従って、第２の検出カセット１２０が第１の検知モジュール７１０を通過して、制御モジュール１８０が直ちに第２の制御信号に従って撮影モジュール１６０を制御し、第２の検出カセット１２０を撮影する状況を回避することができる。
【００４８】
図７Ａおよび図７Ｂの実施形態では、第１の検知モジュール７１０、第２の検知モジュール７２０、および第３の検知モジュール７３０は、収容溝１５１の第１の側部５０６に配置されるが、本開示の実施形態はこれに限定されない。例えば、第１の検知モジュール７１０、第２の検知モジュール７２０、および第３の検知モジュール７３０は、収容溝１５１の第２の側部５０８に配置され、収容溝１５１の第２の側部５０８は、第２のベゼル５０４に隣接し、収容溝１５１の第２の側部５０８は、第２のベゼル５０４に平行である。従って、同様の効果が得られることもできる。
【００４９】
再度、図４、図５、および図６に示すように、収容モジュール１５０は、第１の制限要素５１０および第１の制限要素５１２をさらに含むことができる。第１の制限要素５１０および第１の制限要素５１２は、収容溝１５１の第２の側部５０８に配置され、収容溝１５１の第２の側部５０８は、収容溝１５１の第１の側部５０６の反対側にある。
【００５０】
本実施形態では、第１の制限要素５１０および第１の制限要素５１２は、例えば、弾性要素である。第１の制限要素５１０および第１の制限要素５１２は、第１の検出カセット１１０または第２の検出カセット１２０を収容溝１５１の第１の側部５０６に当接させることができるため、第１の検出カセット１１０と収容溝１５１との間の公差または第２の検出カセット１２０と収容溝１５１との間の公差を効果的に低減することができる。
【００５１】
また、収容モジュール１５０は、第１の制限要素５１０および第１の制限要素５１２を含むが、本開示の実施形態は、それに限定されない。いくつかの実施形態では、収容モジュール１５０は、１つの制限要素、例えば、第１の制限要素５１０または第１の制限要素５１２などを含むことができる。いくつかの実施形態では、収容モジュール１５０は、３つ以上の制限要素を含むことができる。３つ以上の制限要素は、第１の制限要素５１０および第１の制限要素５１２の配置方法を引用することができ、それらの説明は本明細書では繰り返されない。
【００５２】
また、収容モジュール１５０は、第２の制限要素５１４および第２の制限要素５１６をさらに含むことができる。第２の制限要素５１４および第２の制限要素５１６は、収容溝１５１の第３の側部５１８に配置され、第３の側部５１８は、収容溝１５１の第４の側部５２０の反対側にあり、収容溝１５１の第４の側部５２０は、収容溝１５１の底部１５２、および収容溝１５１の第１の側部５０６と第２の側部５０８に隣接する。
【００５３】
実施形態では、第２の制限要素５１４および第２の制限要素５１６は、例えば、弾性要素である。第２の制限要素５１４および第２の制限要素５１６は、第１の検出カセット１１０または第２の検出カセット１２０を収容溝１５１の第４の側部５２０に当接させることができるため、第１の検出カセット１１０と収容溝１５１との間の公差または第２の検出カセット１２０と収容溝１５１との間の公差を効果的に低減することができる。また、収容モジュール１５０は、第２の制限要素５１４および第２の制限要素５１６を含むが、本開示の実施形態はこれに限定されない。いくつかの実施形態では、収容モジュール１５０は、１つの制限要素、例えば、第２の制限要素５１４または第２の制限要素５１６を含むことができる。
【００５４】
再度図１に示すように、検出装置１３０は、加熱モジュール１９０をさらに含むことができる。加熱モジュール１９０は、収容モジュール１５０上に配置され、第４の側部５２０（即ち、撮影モジュール１６０の反対側の収容溝１５１の側部）に配置される。加熱モジュール１９０は、制御モジュール１８０に結合される。
【００５５】
制御モジュール１８０が、第１の検出カセット１１０または第２の検出カセット１２０が収容溝１５１に挿入されていると判定したとき、制御モジュール１８０は、加熱モジュール１９０を制御して、第１の検出カセット１１０または第２の検出カセット１２０を加熱することができる。従って、第１の検出カセット１１０または第２の検出カセット１２０の温度が上昇され、これにより、第１の検出カセット１１０または第２の検出カセット１２０内のテストストリップとサンプルの反応速度が速くなり、使用上の利便性を向上させる。
【００５６】
また、制御モジュール１８０は、信号生成モジュール１９１に結合されることができる。信号生成モジュール１９１も、例えば、物理的なボタンまたはタッチボタンであることができる。即ち、使用者は、信号生成モジュール１９１を押すかまたはタッチすることができ、それにより、信号生成モジュール１９１が第５の制御信号を生成し、それを制御モジュール１８０に送信する。そして、制御モジュール１８０は、第５の制御信号に従って、加熱モジュール１９０を制御し、収容溝１５１内の第１の検出カセット１１０または第２の検出カセット１２０を加熱する。
【００５７】
さらに、第１の検出カセット１１０は、患者の識別情報を記録する識別コード２０６をさらに含む。即ち、第１の検出カセット１１０が収容溝１５１に挿入されたとき、撮影モジュール１６０は、検出窓２０４および識別コード２０６を撮影することができる。従って、制御モジュール１８０は、撮影結果を識別コード２０６に関連付けることができる。従って、使用者は、検出結果が患者に対応していることを素早く知ることができ、使用上の利便性が向上されることができる。また、上述の識別コード２０６は、例えば、二次元バーコア、多次元バーコード、ＱＲコード（登録商標）等である。
【００５８】
さらに、第２の検出カセット１２０は、識別コード３２０をさらに含む。また、制御モジュール１８０が撮影結果を第２の検出カセット１２０の識別コード３２０と関連付けることができるという説明は、第１の検出カセット１１０の説明を参照することができ、その説明はここでは繰り返さない。
【００５９】
要約すると、本開示の実施形態の検出装置、検出カセット、および検出システムによれば、収容モジュールはケース内に配置され、収容モジュールは収容溝を有し、収容溝は、第１の検出カセットまたは第２の検出カセットを収容するのに適し、収容溝の底部は第1のベゼルを有する。第２の検出カセットの長さは第１の検出カセットの長さよりも長く、第２の検出カセットは第１の溝を有し、第１の溝の位置は第１のベゼルの位置に対応する。制御モジュールは、撮影モジュールの動作を制御して、第１の検出カセットまたは第２の検出カセットの検出結果を取得する。従って、本開示の実施形態は、異なる長さの検出カセットを検出することができ、それにより、使用の利便性を向上させる。
【００６０】
また、本開示の実施形態は、検知モジュールがさらに提供され、感知モジュールは、第１の検出カセットまたは第２の検出カセットが収容溝に挿入されているかどうかを検知し、制御信号を生成し、制御信号を制御モジュールに送信する。従って、制御モジュールは、撮影モジュールを制御し、第１の検出カセット、または第２の検出カセットを撮影し、対応する検出結果を生成する。さらに、本開示の実施形態は、収容溝に挿入された第１の検出カセットまたは第２の検出カセットを加熱することができる加熱モジュールがさらに提供され、サンプルとテストストリップの反応速度を加速する。従って、使用の利便性も向上されることができる。
【００６１】
本考案は、例として及び望ましい実施の形態によって記述されているが、本考案は開示された実施形態に限定されるものではない。逆に、当業者には自明の種々の変更及び同様の配置をカバーするものである。よって、添付の特許請求の範囲は、最も広義な解釈が与えられ、全てのこのような変更及び同様の配置を含むべきである。
【符号の説明】
【００６２】
１００  検出システム
１１０  第１の検出カセット
１２０  第２の検出カセット
１３０  検出装置
１４０  ケース
１５０  収容モジュール
１５１  収容溝
１５２  の底部
１６０  撮影モジュール
１６１、１６２  カメラ
１７０、１９１  信号生成モジュール
１８０  制御モジュール
１９０  加熱モジュール
２０２、３０２  サンプル添加開口部
２０４、３０４、３０６  検出窓
３０８、５０６  第１の側部
３１０、５０８  第２の側部
３１２、３１６  第１の溝
３１４、３１８  第２の溝
５０２  第１のベゼル
５０４  第２のベゼル
５１０、５１２  第１の制限要素
５１４、５１６  第２の制限要素
５１８  第３の側部
５２０  第４の側部
７１０  第１の検知モジュール
７２０  第２の検知モジュール
７３０  第３の検知モジュール
Ｄ  所定の距離
【図１】
0003228109.tif 000003
【図２】
0003228109.tif 000004
【図３Ａ】
0003228109.tif 000005
【図３Ｂ】
0003228109.tif 000006
【図４】
0003228109.tif 000007
【図５】
0003228109.tif 000008
【図６】
0003228109.tif 000009
【図７Ａ】
0003228109.tif 000010
【図７Ｂ】
0003228109.tif 000011